(57)【要約】【課題】虫を廃棄など処理しようとする場合において、虫に起因する視覚的かつ触覚的な不快感をその処理者に生じさせないようにする。【解決手段】虫処理具は、軸方向の一端部の開口が処理開口４とされ、他端部の開口が操作開口５とされて自由状態で所定形状を保持する筒形状体２と、面方向のほぼ中央に位置する一部分８ａが処理開口４の外方からこの処理開口４を通り筒形状体２の内部空間１０を操作開口５に向かって移動可能とされるシート８と、一端部がシート８の一部分８ａに連結され、他端部がわが操作開口５を通し筒形状体２の外部に突出可能とされる操作部９とを備える。操作開口５から突出した操作部９の他端部がわが筒形状体２の外方に向けて引張Ａされるとき、シート８の外縁部がわ８ｂの各部が筒形状体２の内面を摺動しつつ互いに圧接させられて、シート８の一部分８ａと外縁部がわ８ｂとが筒形状体２の内部空間１０に収容可能とされる。【選択図】図１
2014226126.tif 000002
【特許請求の範囲】
【請求項１】
軸方向の一端部の開口が処理開口とされ、他端部の開口が操作開口とされて自由状態で所定形状を保持する筒形状体と、面方向のほぼ中央に位置する一部分が上記処理開口の外方からこの処理開口を通り上記筒形状体の内部空間を上記操作開口に向かって移動可能とされるシートと、一端部が上記シートの一部分に連結され、他端部がわが上記操作開口を通し上記筒形状体の外部に突出可能とされる操作部とを備え、上記操作開口から突出した上記操作部の他端部がわが上記筒形状体の外方に向けて引張されるとき、上記シートの外縁部がわの各部が上記筒形状体の内面を摺動しつつ互いに圧接させられて、上記シートの一部分と外縁部がわとが上記筒形状体の内部空間に収容可能とされたことを特徴とする虫処理具。
【請求項２】
上記筒形状体を、その軸方向で上記処理開口がわから操作開口がわに向かうに従い断面積が漸減するよう形成したことを特徴とする請求項１に記載の虫処理具。
【請求項３】
上記操作開口を狭めるよう上記筒形状体の他端部の端縁部に環形状体を取り付けたことを特徴とする請求項１、もしくは２に記載の虫処理具。
【請求項４】
長手方向の一端部が上記筒形状体を支持する一方、他端部がわが虫の処理者用の把持部とされる剛性の支持バーと、この支持バーに沿って延びると共に、この支持バーに沿う方向で上記筒形状体に接近、離反可能となるよう設けられる操作長尺材と、この操作長尺材における上記筒形状体がわの端部と上記筒形状体の操作開口から突出した上記操作部の他端部がわとを互いに連結、離脱可能とさせる連結具とを備えたことを特徴とする請求項１から３のうちいずれか１つに記載の虫処理具。
【請求項５】
請求項１に記載の虫処理具の使用方法であって、
まず、処理対象となる虫を上記シートで覆うと共に、このシートを介し上記虫を上記筒形状体の処理開口の開口縁部で囲繞してこの筒形状体で覆い、
次に、上記筒形状体の操作開口を通し上記操作部の他端部がわを上記筒形状体の外方に向けて引張することにより、この筒形状体の内部空間に上記シートの一部分と外縁部がわとを虫と共に収容させるようにしたことを特徴とする虫処理具の使用方法。
【発明の詳細な説明】
【技術分野】
【０００１】
本発明は、虫を廃棄など処理しようとする場合において、虫に起因する視覚的かつ触覚的な不快感をその処理者に生じさせないようにした虫処理具、およびその使用方法に関するものである。
【背景技術】
【０００２】
屋内、屋外を問わず多種の虫が存在しており、これらのうちには人に不快感を与えたり、衛生上の問題を生じさせたりするものがある。そこで、従来より、それらの虫の忌避剤や殺虫剤が種々提案され、更に、殺虫処理後などの虫の死骸や動きの遅い虫を処理するための虫処理具が、下記特許文献１，２に示されるように提案されている。
【０００３】
上記各公報のうち、特許文献１のものによれば、虫処理具は、軸方向の一端部の開口が十字の切り込みを入れた閉封口とされる一方、他端部の開口が切り目を入れた回収口とされた筒と、上記閉封口がわに設けられ、２枚折りされた紙状の害虫捕捉部と、上記筒の内部空間を貫通し、一端部が上記害虫捕捉部に連結される糸とを備えている。
【０００４】
そして、虫の処理者による上記虫処理具の使用時には、まず、処理者が上記害虫捕捉部に害虫を押し付けて、この害虫を上記害虫捕捉部に付着させる。次に、上記糸の他端部を上記筒の外方に引張する。すると、この引張に連動した上記害虫捕捉部に害虫がくるまれて上記筒の中に取り込まれる。そして、これをゴミ箱に捨てれば、害虫の処理が終ることとされる。
【０００５】
一方、上記特許文献２のものによれば、虫処理具は、軸方向の両端部がそれぞれ開口する筒状箱部と、この筒状箱部に挿入され、上下面に窓があけられた容器状の引出し部とを備えている。
【０００６】
そして、虫の処理者による上記虫処理具の使用時には、まず、処理者が上記筒状箱部から一部分が引き出された引出し部の窓にゴキブリを収める。次に、この引出し部の上記一部分をゴキブリと共に上記筒状箱部に押し込む。すると、上記引出し部と共に上記ゴキブリが上記筒状箱部内に格納される。そして、これをゴミ箱に捨てれば、ゴキブリの処理が終ることとされる。
【０００７】
なお、虫を傷付けずに捕獲する捕獲器として、下記特許文献３のものが提案されている。この公報のものによれば、上記捕獲器は、パイプ形状の支持シャフトと、この支持シャフトに挿入される桿と、上記支持シャフトの外部において上記桿の一端部に取り付けられる可撓性カゴ形状のシート部と、このシート部の開口に沿うよう設けられ、この開口を円形状に保形する線状部とを備えている。
【０００８】
そして、上記捕獲器により使用者が虫を捕獲する場合には、まず、虫の上にシート部を被せ、次に、桿の他端部を引っ張って上記支持シャフト内に上記線状部の一部分を引き込む。すると、この線状部の一部分は上記支持シャフトの内面に圧接することとなって上記線状部が全体的に変形し、これにより、上記シート部の開口が閉鎖させられる。そして、この際、閉鎖させられるシート部の中に虫が傷付くことなく閉じ込められることとされる。
【先行技術文献】
【特許文献】
【０００９】
【特許文献１】特開２０１１−２１７７２０号公報
【特許文献２】特開２０１２−１８７０７１号公報
【特許文献３】米国公開特許番号２００２／０１９４７７２
【発明の概要】
【発明が解決しようとする課題】
【００１０】
ところで、前記した特許文献１の虫処理具の使用時には、虫の処理者は、まず、上記害虫捕捉部に害虫を押し付けて付着させる必要がある。しかし、このように害虫を押し付ける際には、上記害虫からの特有の感触が処理者に伝わるおそれがある。
【００１１】
しかも、上記害虫捕捉部への害虫の付着は、この害虫が有する体毛・触覚に頼るものであり、また、上記したように糸を引張して害虫を付着させた害虫捕捉部を筒の中に取り込むとき、上記害虫捕捉部は害虫を単にくるんでいるだけである。このため、芋虫のように体毛を有しない害虫や、もがくだけの力が残っている害虫の場合には、上記害虫捕捉部から容易に剥離して不意に落下するおそれがある。そして、この場合には、処理者は上記のように落下した害虫を改めて目視せざるを得ない結果となる。
【００１２】
また、前記した特許文献２の虫処理具の使用時には、まず、虫の処理者に対し、上記引出し部の窓にゴキブリを収めることが要求されるが、このように窓にゴキブリを収める期間中、処理者はゴキブリに手の指が触れないよう精度よく目視を続ける必要がある。しかも、ゴキブリが死骸であるとしても、その脚が上記窓を越えて突出していたり、仮に、もがくだけの力が残っていて不意に脚を動かしたりする場合には、上記窓に近い手の指にゴキブリの足が不意に触れてしまうおそれがある。
【００１３】
また、前記した特許文献３の虫の捕獲器の使用時には、前記したように、まず、虫の上にシート部を被せ、次に、桿を引っ張って上記線状部を変形させつつ上記シート部の開口を閉鎖し、この閉鎖されたシート部の中に虫を閉じ込めるが、このように虫をシート部の中に閉じ込めるときには、このシート部の開口の開口縁部や線状部が上記虫を挟み付けて潰さないよう、この虫を上記シート部を通し視認したり、上記虫を挟み付けているか否かを上記桿を引っ張る手で触覚的に検知したりする必要があると考えられる。そして、特に、上記虫が高さの低いゴキブリや芋虫のような場合には、上記視認や触覚的な検知は、より注意深い感覚により行う必要があると考えらる。
【００１４】
よって、上記特許文献１〜３のいずれの虫処理具や捕獲器の場合にも、その使用時には、処理者に対し視覚的かつ触覚的な不快感を与えてしまうおそれが多分に残されている。
【課題を解決するための手段】
【００１５】
本発明は、上記のような事情に注目してなされたもので、本発明の目的は、種々の虫のうち、主に死骸となったものや、動きの遅いものを廃棄など処理しようとする場合において、虫に起因する視覚的かつ触覚的な不快感をその処理者に生じさせないようにし、かつ、この虫の処理が容易にできるようにすることである。
【００１６】
請求項１の発明は、軸方向の一端部の開口が処理開口４とされ、他端部の開口が操作開口５とされて自由状態で所定形状を保持する筒形状体２と、面方向のほぼ中央に位置する一部分８ａが上記処理開口４の外方からこの処理開口４を通り上記筒形状体２の内部空間１０を上記操作開口５に向かって移動可能とされるシート８と、一端部が上記シート８の一部分８ａに連結され、他端部がわが上記操作開口５を通し上記筒形状体２の外部に突出可能とされる操作部９とを備え、上記操作開口５から突出した上記操作部９の他端部がわが上記筒形状体２の外方に向けて引張Ａされるとき、上記シート８の外縁部がわ８ｂの各部が上記筒形状体２の内面を摺動しつつ互いに圧接させられて、上記シート８の一部分８ａと外縁部がわ８ｂとが上記筒形状体２の内部空間１０に収容可能とされたことを特徴とする虫処理具である。
【００１７】
請求項２の発明は、上記筒形状体２を、その軸方向で上記処理開口４がわから操作開口５がわに向かうに従い断面積が漸減するよう形成したことを特徴とする請求項１に記載の虫処理具である。
【００１８】
請求項３の発明は、上記操作開口５を狭めるよう上記筒形状体２の他端部の端縁部に環形状体６を取り付けたことを特徴とする請求項１、もしくは２に記載の虫処理具である。
【００１９】
請求項４の発明は、長手方向の一端部が上記筒形状体２を支持する一方、他端部がわが虫Ｂの処理者Ｃ用の把持部とされる剛性の支持バー２０と、この支持バー２０に沿って延びると共に、この支持バー２０に沿う方向で上記筒形状体２に接近、離反可能となるよう設けられる操作長尺材２１と、この操作長尺材２１における上記筒形状体２がわの端部と上記筒形状体２の操作開口５から突出した上記操作部９の他端部がわとを互いに連結、離脱可能とさせる連結具２２とを備えたことを特徴とする請求項１から３のうちいずれか１つに記載の虫処理具である。
【００２０】
請求項５の発明は、請求項１に記載の虫処理具の使用方法であって、
まず、処理対象となる虫Ｂを上記シート８で覆うと共に、このシート８を介し上記虫Ｂを上記筒形状体２の処理開口４の開口縁部で囲繞してこの筒形状体２で覆い、
次に、上記筒形状体２の操作開口５を通し上記操作部９の他端部がわを上記筒形状体２の外方に向けて引張Ａすることにより、この筒形状体２の内部空間１０に上記シート８の一部分８ａと外縁部がわ８ｂとを虫Ｂと共に収容させるようにしたことを特徴とする虫処理具の使用方法である。
【００２１】
なお、この項において、上記各用語に付記した符号や図面番号は、本発明の技術的範囲を後述の「実施例」の項や図面の内容に限定解釈するものではない。
【発明の効果】
【００２２】
本発明による効果は、次の如くである。
【００２３】
請求項１の発明は、軸方向の一端部の開口が処理開口とされ、他端部の開口が操作開口とされて自由状態で所定形状を保持する筒形状体と、面方向のほぼ中央に位置する一部分が上記処理開口の外方からこの処理開口を通り上記筒形状体の内部空間を上記操作開口に向かって移動可能とされるシートと、一端部が上記シートの一部分に連結され、他端部がわが上記操作開口を通し上記筒形状体の外部に突出可能とされる操作部とを備え、上記操作開口から突出した上記操作部の他端部がわが上記筒形状体の外方に向けて引張されるとき、上記シートの外縁部がわの各部が上記筒形状体の内面を摺動しつつ互いに圧接させられて、上記シートの一部分と外縁部がわとが上記筒形状体の内部空間に収容可能とされている。
【００２４】
このため、上記虫処理具を用いての虫の処理時には、まず、この虫を上記シートで広く覆うと共に、このシートを介し上記虫を上記筒形状体で覆うことができることから、虫の処理時の当初において、この虫を処理者の視界から、より確実に消すことができる。よって、上記虫に起因する視覚的な不快感が処理者に生じることは、より確実に防止される。
【００２５】
また、処理者が上記操作開口から突出した上記操作部の他端部がわを上記筒形状体の外方に向けて引張するとき、上記したように、シートの外縁部がわの各部は上記筒形状体の内面を摺動しつつ互いに圧接させられて、上記シートの一部分と外縁部がわとが上記筒形状体の内部空間に収容可能とされている。
【００２６】
このため、上記したように虫をシートおよび筒形状体で覆った状態で、上記操作開口から突出した上記操作部の他端部がわを引張すると、上記筒形状体の内部空間で互いに圧接させられる上記シートの外縁部がわの各部によって上記虫が挟み付けられ、かつ、この状態で上記内部空間の奥がわに送り込まれることから、この虫は、上記シートの外縁部がわと共に上記筒形状体の内部空間に、より確実に、かつ、安定した状態で収容される。よって、上記筒形状体の内部空間に上記シートの外縁部がわと共に虫を収容するとき、この虫が上記筒形状体の内部空間から不意に落下することは防止され、つまり、このように落下する虫を処理者が改めて目視することは防止される。この結果、上記虫に起因する視覚的な不快感が処理者に生じることは、更に確実に防止される。
【００２７】
しかも、前記したように操作部の他端部がわを引張して、上記筒形状体の内部空間に虫を収容するとき、この筒形状体を把持する処理者と虫との間には、上記シートの外縁部がわに加え、自由状態で所定形状を保持するものであって、ある程度の剛性を有する筒形状体が介在し、もしくは上記操作部が介在する。よって、上記虫からの特有の感触が処理者に伝わることは、より確実に防止されて、上記虫に起因する触覚的な不快感が処理者に生じることは、より確実に防止される。
【００２８】
更に、上記したように、筒形状体の内部空間にはシートの一部分と外縁部がわとが共に収容可能とされていることから、上記筒形状体の長さは、上記シートの外縁部がわのみを収容するものに比べて、より長くなる。このため、上記したように、上記操作開口から突出した上記操作部の他端部がわを上記筒形状体の外方に向けて処理者が一方の手で引張するとき、上記筒形状体における操作開口がわの端部を上記処理者が他方の手で把持することとすれば、上記筒形状体の長さが長い分、この筒形状体を把持する上記他方の手を上記虫から遠く離すことができる。よって、処理者は上記虫をより遠くに離して見ることができ、つまり、上記虫に起因する視覚的な不快感が処理者に生じることは、更に確実に防止される。
【００２９】
また、上記シートの一部分と虫を挟み付けた上記シートの外縁部がわとは共に上記筒形状体の内部空間に収容可能とされるため、上記虫を挟み付けているシートが処理者によって容易に見えることは上記筒形状体によって、より確実に抑制される。よって、上記筒形状体内で上記シートに挟み付けられた虫に起因して上記シートを介し視覚的な不快感が処理者に生じることは、より確実に防止される。
【００３０】
そして、上記したように虫処理具を用いて虫を処理するときには、まず、この虫をシートおよび筒形状体で覆い、次に、上記操作開口から突出した上記操作部を引張すれば、上記虫は筒形状体内にシートと共に収容されて処理可能とされるのであり、このような操作は簡単であることから、上記虫処理具による虫の処理は容易にできる。
【００３１】
請求項２の発明は、上記筒形状体を、その軸方向で上記処理開口がわから操作開口がわに向かうに従い断面積が漸減するよう形成している。
【００３２】
このため、前記したように操作部の他端部がわを引張して、シートの外縁部がわを虫と共に筒形状体の内部空間に収容するとき、上記シートの外縁部がわの各部は、上記操作開口がわに進むに従い互いにより強く圧接させられ、その分、上記虫を、より強固に挟み付ける。よって、上記虫は、上記シートの外縁部がわと共に更に安定した状態で筒形状体の内部空間に収容され、この結果、上記虫が上記筒形状体の内部空間から不意に落下することは、より確実に防止される。
【００３３】
請求項３の発明は、上記操作開口を狭めるよう上記筒形状体の他端部の端縁部に環形状体を取り付けている。
【００３４】
このため、前記したように操作部の他端部がわを引張することにより、シートの一部分が上記筒形状体の内部空間において上記環形状体の近傍に達したときには、この環形状体がストッパとして働くことにより、上記操作部の他端部がわのそれ以上の引張が阻止される。よって、上記シートの一部分が上記操作開口を容易に通り抜けてしまうことは防止されて、上記シートの一部分と虫を挟み付けている外縁部がわとは上記筒形状体の内部空間に、より確実に収容可能とされる。
【００３５】
請求項４の発明は、長手方向の一端部が上記筒形状体を支持する一方、他端部がわが虫の処理者用の把持部とされる剛性の支持バーと、この支持バーに沿って延びると共に、この支持バーに沿う方向で上記筒形状体に接近、離反可能となるよう設けられる操作長尺材と、この操作長尺材における上記筒形状体がわの端部と上記筒形状体の操作開口から突出した上記操作部の他端部がわとを互いに連結、離脱可能とさせる連結具とを備えている。
【００３６】
このため、虫処理具の使用時には、上記筒形状体の処理開口を通しその内部空間に上記シートの一部分と操作部とを挿入すると共に、上記筒形状体の操作開口に上記操作部の他端部がわを通す一方、上記筒形状体を上記遠隔操作具の支持バーの一端部に支持させ、上記操作部の他端部がわと上記操作長尺材とを連結具により連結する。
【００３７】
次に、処理者が支持バーを把持し、例えば、処理者から離れて位置する天井面の虫に上記支持バーを介し組み合わせ体を接近させる。その後の虫処理具による虫の処理操作は、前記と同様であるが、上記操作部の他端部がわの引張は、上記操作長尺材の引張によりすることができる。なお、前記床面上や壁面における虫も上記と同様に処理することができる。
【００３８】
よって、上記遠隔操作具の支持バー、操作長尺材、および連結具によれば、処理者から離れて位置する虫の処理が容易にできる。
【００３９】
請求項５の発明は、請求項１に記載の虫処理具の使用方法であって、請求項１の前記効果と同様の効果が生じる。
【図面の簡単な説明】
【００４０】
【図１】実施例１を示し、虫処理具の側面部分断面部分破断図であって、虫処理具の使用方法の前段を示す図でもある。
【図２】実施例１を示し、虫処理具の使用方法の前段を示す部分側面断面図である。
【図３】実施例１を示し、虫処理具の使用方法の中段を示す斜視図である。
【図４】実施例１を示し、図３のIV−IV線矢視断面図である。
【図５】実施例１を示し、虫処理具の使用方法の後段を示す側面部分断面図である。
【図６】実施例１を示し、虫処理具の他の使用方法を示す側面断面図である。
【図７】実施例２を示し、（ａ）は、虫処理具の斜視図、（ｂ）は、虫処理具を折り畳んでコンパクトな収納状態にした図である。
【発明を実施するための形態】
【００４１】
本発明の虫処理具に関し、種々の虫のうち、主に死骸となったものや、動きの遅いものを廃棄など処理しようとする場合において、虫に起因する視覚的かつ触覚的な不快感をその処理者に生じさせないようにし、かつ、この虫の処理が容易にできるようにする、という目的を実現するため、本発明を実施するための形態は、次の如くである。
【００４２】
即ち、虫処理具は、軸方向の一端部の開口が処理開口とされ、他端部の開口が操作開口とされて自由状態で所定形状を保持する筒形状体と、面方向のほぼ中央に位置する一部分が上記処理開口の外方からこの処理開口を通り上記筒形状体の内部空間を上記操作開口に向かって移動可能とされるシートと、一端部が上記シートの一部分に連結され、他端部がわが上記操作開口を通し上記筒形状体の外部に突出可能とされる操作部とを備える。上記操作開口から突出した上記操作部の他端部がわが上記筒形状体の外方に向けて引張されるとき、上記シートの外縁部がわの各部が上記筒形状体の内面を摺動しつつ互いに圧接させられて、上記シートの一部分と外縁部がわとが上記筒形状体の内部空間に収容可能とされている。
【実施例１】
【００４３】
本発明をより詳細に説明するために、その実施例１を添付の図１〜６に従って説明する。
【００４４】
図１〜５において、符号１は虫処理具であり、この虫処理具１は筒形状体２を備える。この筒形状体２は、その軸心３に沿った軸方向の一端部の開口が処理開口４とされ、他端部の開口が操作開口５とされる。上記筒形状体２は紙製とされ、その自由状態において所定形状を保持するよう全体的にある程度の剛性を有し、その一方、外力によって弾性や塑性変形可能なものとされる。
【００４５】
上記処理開口４は、上記軸心３に沿った方向で見た平面視（図４）で、長円形（楕円形含む、以下同じ）とされる。一方、上記操作開口５は平面視で、上記処理開口４の短軸長さよりも短い直径の円形とされる。また、上記筒形状体２は、その軸方向で上記処理開口４がわから操作開口５がわに向かうに従い断面積が漸減する円錐台筒形状とされる。
【００４６】
上記操作開口５を挟めるよう上記筒形状体２の他端部の端縁部に環形状体６が取り付けられる。この環形状体６は上記筒形状体２と同様の紙製とされる。上記環形状体６は上記筒形状体２の他端部を補強して、その剛性を向上させる。
【００４７】
なお、上記処理開口４および操作開口５は、それぞれ円形、長円形、もしくは正方形などの多角形のいずれであってもよく、これらの中間的な形状であってもよい。また、上記筒形状体２は全体として円錐台筒形状をなしているが、角錐台形状としてもよく、また、軸方向の一部分のみを円錐台や角錐台筒形状としてもよい。また、上記筒形状体２は、その軸方向の各部断面が互いに同形同大のものであってもよい。
【００４８】
また、上記筒形状体２および環形状体６は、それぞれその材質を紙製や樹脂製として使い捨てのものとしてもよいが、ある程度弾性変形可能な硬質樹脂性や金属板製として、繰り返し使用が可能なものとしてもよい。
【００４９】
また、上記虫処理具１は、平面視で正方形状をなすシート８を備えている。そして、図１中二点鎖線と、図２〜５とで示すように、上記シート８は、その面方向のほぼ中央に位置する一部分８ａが、上記筒形状体２の処理開口４を通り上記筒形状体２の内部空間１０を上記操作開口５に向かって移動可能とされる。
【００５０】
また、上記虫処理具１は、一端部が上記シート８の一部分８ａに連結され、他端部がわが上記操作開口５を通し上記筒形状体２の外部に突出可能とされる操作部９を備えている。この操作部９は、上記操作開口５を貫通するよう延び、弾性的に撓み可能な樹脂製の棒材９ａと、この棒材９ａの一端部と上記シート８の一部分８ａとを連結させる、カシメ環や上記棒材９ａの一端部に形成され上記シート８の一部分８ａに掛止されるフックなどの連結具９ｂと、上記棒材９ａの他端部に一体的に形成され、この他端部を上記筒形状体２の内部空間１０から上記操作開口５を通して上記筒形状体２の外部に突出させたとき、上記棒材９ａの他端部を上記操作開口５の開口縁部に掛止させる弾性的に撓み可能なフック形状の掛止部９ｃとを有している。
【００５１】
なお、上記シート８は平面視で長方形など多角形であってもよく、円形であってもよい。また、上記シート８は、面方向の各部のそれぞれにおいて撓みや屈曲の変形が容易にできる薄紙、不織布、合成繊維、天然繊維、ビニールなどの樹脂フィルムや、これらを積層や合成したものが適用可能である。また、この場合、シート８は起毛状のものや各目が小さい網状のもののように、表面が粗面であることが好ましい。更に、上記シート８は、これを所定形状となるよう変形させたとき、それ自体がその形状をある程度保持するような自己保形性を有するものが好ましい。
【００５２】
また、上記操作部９の棒材９ａは硬質のゴムや金属製であってもよく、この棒材９ａの断面は円形や矩形（板形状）であってもよい。また、この棒材９ａはロープ（紐）、ワイヤー、ケーブルなどの可撓性索条体であってもよい。また、上記連結具９ｂは、上記虫処理具１の使用に際し、上記シート８の一部分８ａと操作部９の一端部とを連結可能とするフック、ピンチ具、もしくはクリップのようなものであってもよい。
【００５３】
図３〜５において、上記操作開口５を通し上記操作部９の他端部がわが上記筒形状体２の外方に向けて引張Ａされるとき、上記シート８の外縁部がわ８ｂは上記処理開口４がわから操作開口５がわに向けて上記筒形状体２の内面と上記処理開口４の開口縁部とをそれぞれ摺動する。そして、この場合、上記シート８の外縁部がわ８ｂの各部は、上記筒形状体２の内面と処理開口４の開口縁部とからのそれぞれの反力により互いに圧接させられて、上記シート８の一部分８aと外縁部がわ８bとが共に上記筒形状体２の内部空間１０に収容可能とされている。なお、このようにシート８を筒形状体２の内部空間１０に収容したとき、上記シート８が全て上記内部空間１０に収容される必要はなく、上記一部分８ａが上記操作開口５を通し筒形状体２の外部に露出されてもよい。
【００５４】
ここで、上記シート８は、その面方向で上記一部分８ａから外縁部に向かうに従い体積が増加するものであることから、上記したように、操作部９の他端部がわの引張Ａにより、上記筒形状体２の処理開口４を通し上記シート８の外縁部がわ８ｂが上記筒形状体２の内面を上記操作開口５に向かって摺動しつつ筒形状体２の内部空間１０に収容されるとき、上記シート８の外縁部がわ８ｂの各部は互いに自動的に圧接させられる。
【００５５】
上記虫処理具１の使用時には、まず、図１中実線および二点鎖線と、図２とで示すように、処理対象となる虫Ｂを処理しようとする処理者Ｃが、上記虫処理具１のシート８の一部分８ａと操作部９とを、上記筒形状体２の処理開口４を通して上記筒形状体２の内部空間１０に挿入し、かつ、上記操作部９の他端部がわを上記操作開口５を通し外部に突出させる。上記操作部９の掛止部９ｃが上記操作開口５を通り抜けるとき、上記掛止部９ｃは一旦弾性的に撓んだ収縮変形した後、元の形状に戻り、上記操作開口５の開口縁部の外面に掛止される。この際、上記シート８の外縁部がわ８ｂは上記筒形状体２の処理開口４の開口縁部に軽く圧接する。このようにして、これら筒形状体２、環形状体６、シート８、および操作部９により一体化された組み合わせ体１４を形成する。
【００５６】
ここで、上記虫Ｂは、特にその処理者Ｃなど人にとって視覚的かつ触覚的に不快感を生じさせ、衛生上問題のあるもので、例えば、ゴキブリ、蜘蛛、芋虫、毛虫、蜂、蝉、蛾、バッタ、カマキリ、百足、ミミズなどが挙げられる。また、この虫Ｂの処理の当初において、この虫Ｂの勢いがあまりに大きい場合には、予め、水生や油性の殺虫剤をスプレーして、少なくとも、その勢いをある程度に弱めることが好ましい。
【００５７】
次に、上記組み合わせ体１４におけるシート８の外縁部がわ８ｂを上記筒形状体２の軸心３から離れる方向に拡がるよう展開させた状態とする。次に、処理者Ｃが上記組み合わせ体１４の筒形状体２における上記操作開口５がわの端部を軽く指で挟むよう把持し、上記組み合わせ体１４を床面１６上の虫Ｂに接近させる。そして、この虫Ｂを、その上方から上記組み合わせ体１４のシート８で覆うと共に、このシート８の外縁部がわ８ｂを介し上記虫Ｂを上記筒形状体２の処理開口４の開口縁部で囲繞してこの筒形状体２で覆う。
【００５８】
上記の場合、筒形状体２の処理開口４の大きさに比べて虫Ｂがあまりに小さい場合や、虫Ｂが芋虫のようにゴキブリなどに比べて長い場合には、例えば、図２と、図３中一点鎖線とで示すように上記筒形状体２における上記処理開口４がわの部分を処理者Ｃが手で把持して、その把持力を大きくする。そして、この把持力により、図２中一点鎖線で示すように、上記筒形状体２を弾性もしくは塑性変形させ、これにより、処理開口４の短軸を短くさせる一方、処理開口４の長軸を長くさせて上記処理開口４を上記虫Ｂの大きさや形状に対応させればよい。
【００５９】
上記のようにすれば、上記操作開口５の開口縁部により上記シート８の外縁部がわ８ｂを介し上記虫Ｂを軽く挟み付けることが容易にでき、この結果、上記筒形状体２の内部空間１０への虫Ｂの収容が、より確実に容易にできる。また、上記の場合、上記処理開口４の開口縁部と床面１６との間の隙間は、上記シート８の外縁部がわ８ｂにより軽く閉じることが好ましい。
【００６０】
次に、図３，４で示すように、上記組み合わせ体１４における筒形状体２の操作開口５から突出した操作部９の他端部がわを処理者Ｃが指で挟み、上記組み合わせ体１４における筒形状体２の操作開口５を通し上記操作部９の他端部がわを上記筒形状体２の外方に向けて引張Ａする。すると、上記シート８の外縁部がわ８ｂの各部が上記床面１６上を上記処理開口４に向かって摺動すると共に、上記筒形状体２の内面を上記操作開口５に向かって摺動する。そして、この際、上記シート８の外縁部がわ８ｂの各部は、上記処理開口４の中央域で互いに集合させられるため、このように処理開口４の中央域で互いに集合させられるシート８の外縁部がわ８ｂの各部によって上記虫Ｂが挟み付けられる。
【００６１】
次に、図５で示すように、操作部９の他端部がわを更に引張Ａすれば、上記シート８の一部分８ａが筒形状体２の内部空間１０において上記操作開口５および環形状体６の近傍に達すると共に、上記虫Ｂを挟み付けているシート８の外縁部がわ８ｂの各部が、上記筒形状体２の内面からの反力を受けて互いに圧接しながら、この筒形状体２の内部空間１０に収容される。この際、上記環形状体６はストッパとして働くことにより、上記シート８の一部分８ａのそれ以上の引張Ａが阻止されて、このシート８の一部分８ａも上記筒形状体２の内部空間１０に収容される。
【００６２】
なお、上記筒形状体２の内部空間１０に収容した虫Ｂが大きくもがくような場合には、上記筒形状体２の操作開口５を通し、水生や油性の殺虫剤をスプレーし、しばらく間をおくようにしてもよい。
【００６３】
そして、その後、処理者Ｃは、上記操作部９の他端部がわを把持し、虫処理具１を吊り下げた状態で、この虫処理具１と共に虫Ｂをビニール製のごみ袋に入れるなどして廃棄したり、上記筒形状体２の内部空間１０からシート８と共に虫Ｂを排出して、この虫Ｂを屋外の庭などに投棄したり逃がしたりしてやれば、上記虫処理具１の使用による虫Ｂの処理ができる。
【００６４】
なお、上記したように虫処理具１を用いて虫Ｂを処理するとき、上記筒形状体２、シート８、および操作部９により組み合わせ体１４を形成する以前に、まず、シート８で虫Ｂを覆い、次に、このシート８を上記筒形状体２で覆うと共に、上記操作部９の他端部がわを上記筒形状体２の操作開口５を通し外部に突出させるようにしてもよい。このようにする場合には、上記操作部９の掛止部９ｃは設けなくてもよい。
【００６５】
上記虫処理具１の具体例を挙げれば、次のようなものである。
【００６６】
即ち、虫処理具１により処理しようとする主たる虫Ｂがクロゴキブリである場合には、筒形状体２の処理開口４の長軸の長さを上記虫Ｂの一般的な大きさ（２５〜３０ｍｍ）よりもわずかに大きい寸法３５〜４５ｍｍにすると共に、筒形状体２の高さを７０〜１００ｍｍとし、上記シート８を、屋内の床上の塵や人の抜け毛を拭き取り可能な化学雑巾に使用されるような不織布として、自由状態での厚さを１〜２ｍｍとし、かつ、一辺の長さが１５０〜２００ｍｍの正方形状とすることが好ましい。なお、上記筒形状体２の処理開口４の長軸（径寸法）の長さや高さは、上記シート８の材質、形状、大きさ、および厚さに応じて適宜設定すればよい。
【００６７】
上記構成によれば、虫処理具１は、軸方向の一端部の開口が処理開口４とされ、他端部の開口が操作開口５とされて自由状態で所定形状を保持する筒形状体２と、面方向のほぼ中央に位置する一部分８ａが上記処理開口４の外方からこの処理開口４を通り上記筒形状体２の内部空間１０を上記操作開口５に向かって移動可能とされるシート８と、一端部が上記シート８の一部分８ａに連結され、他端部がわが上記操作開口５を通し上記筒形状体２の外部に突出可能とされる操作部９とを備え、上記操作開口５から突出した上記操作部９の他端部がわが上記筒形状体２の外方に向けて引張Ａされるとき、上記シート８の外縁部がわ８ｂの各部が上記筒形状体２の内面を摺動しつつ互いに圧接させられて、上記シート８の一部分８ａと外縁部がわ８ｂとが上記筒形状体２の内部空間１０に収容可能とされている。
【００６８】
このため、上記虫処理具１を用いての虫Ｂの処理時には、まず、この虫Ｂを上記シート８で広く覆うと共に、このシート８を介し上記虫Ｂを上記筒形状体２で覆うことができることから、虫Ｂの処理時の当初において、この虫Ｂを処理者Ｃの視界から、より確実に消すことができる。よって、上記虫Ｂに起因する視覚的な不快感が処理者Ｃに生じることは、より確実に防止される。
【００６９】
また、処理者Ｃが上記操作開口５から突出した上記操作部９の他端部がわを上記筒形状体２の外方に向けて引張Ａするとき、上記したように、シート８の外縁部がわ８ｂの各部は上記筒形状体２の内面を摺動しつつ互いに圧接させられて、上記シート８の一部分８ａと外縁部がわ８ｂとが上記筒形状体２の内部空間１０に収容可能とされている。
【００７０】
このため、上記したように虫Ｂをシート８および筒形状体２で覆った状態で、上記操作開口５から突出した上記操作部９の他端部がわを引張Ａすると、上記筒形状体２の内部空間１０で互いに圧接させられ、かつ、この状態で上記内部空間１０の奥がわに送り込まれる上記シート８の外縁部がわ８ｂの各部によって上記虫Ｂが挟み付けられることから、この虫Ｂは、上記シート８の外縁部がわ８ｂと共に上記筒形状体２の内部空間１０に、より確実に、かつ、安定した状態で収容される。よって、上記筒形状体２の内部空間１０に上記シート８の外縁部がわ８ｂと共に虫Ｂを収容するとき、この虫Ｂが上記筒形状体２の内部空間１０から不意に落下することは防止され、つまり、このように落下する虫Ｂを処理者Ｃが改めて目視することは防止される。この結果、上記虫Ｂに起因する視覚的な不快感が処理者Ｃに生じることは、更に確実に防止される。
【００７１】
しかも、前記したように操作部９の他端部がわを引張Ａして、上記筒形状体２の内部空間１０に虫Ｂを収容するとき、この筒形状体２を把持する処理者Ｃと虫Ｂとの間には上記シート８の外縁部がわ８ｂに加え、自由状態で所定形状を保持するものであって、ある程度の剛性を有する筒形状体２が介在し、もしくは上記操作部９が介在する。よって、上記虫Ｂからの特有の感触が処理者Ｃに伝わることは、より確実に防止されて、上記虫Ｂに起因する触覚的な不快感が処理者Ｃに生じることは、より確実に防止される。
【００７２】
更に、上記したように、筒形状体２の内部空間１０にはシート８の一部分８ａと外縁部がわ８ｂとが共に収容可能とされていることから、上記筒形状体２の長さは、上記シート８の外縁部がわ８ｂのみを収容するものに比べて、より長くなる。このため、上記したように、上記操作開口５から突出した上記操作部９の他端部がわを上記筒形状体２の外方に向けて処理者Ｃが一方の手で引張Ａするとき、図３，５中実線で示すように、上記筒形状体２における操作開口５がわの端部を上記処理者Ｃが他方の手で把持することとすれば、上記筒形状体２の長さが長い分、この筒形状体２を把持する上記他方の手を上記虫Ｂから遠く離すことができる。よって、処理者Ｃは上記虫Ｂをより遠くに離して見ることができ、つまり、上記虫Ｂに起因する視覚的な不快感が処理者Ｃに生じることは、更に確実に防止される。
【００７３】
また、上記シート８の一部分８ａと虫Ｂを挟み付けた上記シート８の外縁部がわ８ｂとは共に上記筒形状体２の内部空間１０に収容可能とされるため、上記虫Ｂを挟み付けているシート８が処理者Ｃによって容易に見えることは上記筒形状体２によって，より確実に抑制される。よって、上記筒形状体２内で上記シート８に挟み付けられた虫Ｂに起因して上記シート８を介し視覚的な不快感が処理者Ｃに生じることは、より確実に防止される。
【００７４】
そして、上記したように虫処理具１を用いて虫Ｂを処理するときには、まず、この虫Ｂをシート８および筒形状体２で覆い、次に、上記操作開口５から突出した上記操作部９を引張Ａすれば、上記虫Ｂは筒形状体２内にシート８と共に収容されて処理可能とされるのであり、このような操作は簡単であることから、上記虫処理具１による虫Ｂの処理は容易にできる。
【００７５】
また、前記したように、筒形状体２を、その軸方向で上記処理開口４がわから操作開口５がわに向かうに従い断面積が漸減するよう形成している。
【００７６】
このため、前記したように操作部９の他端部がわを引張Ａして、シート８の外縁部がわ８ｂを虫Ｂと共に筒形状体２の内部空間１０に収容するとき、上記シート８の外縁部がわ８ｂの各部は、上記操作開口５がわに進むに従い互いにより強く圧接させられ、その分、上記虫Ｂを、より強固に挟み付ける。よって、上記虫Ｂは、上記シート８の外縁部がわ８ｂと共に更に安定した状態で筒形状体２の内部空間１０に収容され、この結果、上記虫Ｂが上記筒形状体２の内部空間１０から不意に落下することは、より確実に防止される。
【００７７】
また、前記したように、操作開口５を狭めるよう上記筒形状体２の他端部の端縁部に環形状体６を取り付けている。
【００７８】
このため、前記したように操作部９の他端部がわを引張Ａすることにより、シート８の一部分８ａが上記筒形状体２の内部空間１０において上記環形状体６の近傍に達したときには、この環形状体６がストッパとして働くことにより、上記操作部９の他端部がわのそれ以上の引張Ａが阻止される。よって、上記シート８の一部分８ａが上記操作開口５を容易に通り抜けてしまうことは防止されて、上記シート８の一部分８ａと虫Ｂを挟み付けている外縁部がわ８ｂとは上記筒形状体２の内部空間１０に、より確実に収容可能とされる。
【００７９】
図６において、上記虫処理具１は、前記した筒形状体２、シート８、および操作部９による虫Ｂの処理操作を、これら２，８，９から離れた位置で可能とする遠隔操作具１９を備えている。
【００８０】
上記遠隔操作具１９は、長手方向の一端部が上記筒形状体２を着脱可能に保持する一方、他端部がわが虫Ｂの処理者Ｃ用の把持部とされる剛性の支持バー２０と、この支持バー２０に沿って延びるようこの支持バー２０の内部空間を貫通するよう延びると共に、この支持バー２０に沿う方向で上記筒形状体２に接近、離反となるよう設けられる操作長尺材２１と、この操作長尺材２１における上記筒形状体２がわの端部と上記筒形状体２の操作開口５から突出した上記操作部９の他端部がわとを互いに連結、離脱可能とさせる連結具２２とを備えている。
【００８１】
具体的には、上記支持バー２０は、その一端部を構成し、上記筒形状体２の操作開口５がわの端部を嵌脱可能に圧入させることにより、この筒形状体２を着脱可能に保持する筒形状支持体２５と、上記支持バー２０の他端部がわを構成する剛性のパイプ材２６と、このパイプ材２６の上記支持体２５がわの端部にこの支持体２５を全方向に回動Ｄ可能に支持する自在継手２７とを有している。
【００８２】
上記の場合、パイプ材２６は、これに代えて中実の棒材としてもよく、二重管にしてその長手方向に伸縮自在の構造としてもよく、また、電気スタンドに用いられているような長手方向各部が屈曲自在とされて、その屈曲状態が自己保持されるものであってもよい。また、上記自在継手２７は、ボールジョイント式などのものであって、上記パイプ材２６の端部に対し上記支持体２５を所望回動姿勢のままに自己保持できる摩擦力を有するものとされる。
【００８３】
前記操作長尺材２１は、図例ではロープ、ワイヤー、ケーブルなどの可撓性索条体であるが、剛性のパイプや線材であってもよい。また、前記連結具２２は、上記操作部９の他端部がわを離脱可能に挟む洗濯バサミのような弾性的なピンチ具や、上記操作部９の掛止部９ｃに掛脱可能に掛止されるフックなどである。
【００８４】
上記構成によれば、図６に示すように、虫処理具１の使用時には、例えば、まず、上記筒形状体２の処理開口４を通しその内部空間１０に上記シート８の一部分８ａと操作部９とを挿入すると共に、上記筒形状体２の操作開口５に上記操作部９の他端部がわを通すことによって組み合わせ体１４を形成する。次に、この組み合わせ体１４の筒形状体２を上記遠隔操作具１９の支持バー２０の一端部における支持体２５に支持させ、上記組み合わせ体１４の操作部９の他端部がわと上記操作長尺材２１とを連結具２２により連結する。
【００８５】
次に、処理者Ｃが支持バー２０を把持し、例えば、処理者Ｃから離れて位置する天井面３０の虫Ｂに上記支持バー２０を介し組み合わせ体１４を接近させる。その後の虫処理具１による虫Ｂの処理操作は、前記と同様であるが、上記操作部９の他端部がわの引張Ａは、上記操作長尺材２１の引張によりすることができる。なお、前記床面１６上や壁面３１における虫Ｂも上記と同様に処理することができる。
【００８６】
よって、上記遠隔操作具１９の支持バー２０、操作長尺材２１、および連結具２２によれば、処理者Ｃから離れて位置する虫Ｂの処理が容易にできる。
【００８７】
以下の図７は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００８８】
本発明をより詳細に説明するために、その実施例２を添付の図７に従って説明する。
【００８９】
図７（ａ）において、上記筒形状体２は角筒形状とされ、上記環形状体６は、上記筒形状体２の他端部開口に嵌脱可能となるようこの他端部開口の一辺の開口縁部に枢支される。上記筒形状体２の他端部開口に上記環形状体６が嵌入されたとき、この環形状体６に補強されて、上記筒形状体２は自由状態で所定形状を保持することとされる。
【００９０】
図７（ｂ）において、上記筒形状体２の他端部開口から上記環形状体６が離脱したとき、上記筒形状体２は折り畳み可能とされる。そして、この折り畳みにより、上記筒形状体２は環形状体６と共に平坦な形状とされ、コンパクトに収納可能とされる。
【符号の説明】
【００９１】
１    虫処理具
２    筒形状体
３    軸心
４    処理開口
５    操作開口
６    環形状体
８    シート
８ａ  一部分
８ｂ  外縁部がわ
９    操作部
９ａ  棒材
９ｂ  連結具
９ｃ  掛止部
１０  内部空間
１４  組み合わせ体
１６  床面
１９  遠隔操作具
２０  支持バー
２１  操作長尺材
２２  連結具
２５  支持体
２６  パイプ材
２７  自在継手
３０  天井面
３１  壁面
Ａ    引張
Ｂ    虫
Ｃ    処理者
Ｄ    回動
【図１】
2014226126.tif 000003
【図２】
2014226126.tif 000004
【図３】
2014226126.tif 000005
【図４】
2014226126.tif 000006
【図５】
2014226126.tif 000007
【図６】
2014226126.tif 000008
【図７】
2014226126.tif 000009